(57)【要約】【課題】搬送するシートの詰りにより搬送ロールが負荷を受けた場合に、駆動伝達手段を断ってギアの破損を防止する。【解決手段】駆動源８６と、シートを搬送する搬送ロール５８ｃと、駆動源８６からの駆動力を搬送ロール５８ｃに伝達する駆動伝達手段９０と、搬送ロール５８ｃが、搬送するシートの詰りにより負荷を受けた場合、駆動伝達手段の駆動伝達を断つ駆動伝達断手段１０４とを有する。【選択図】図２
2009196725.tif 000002
【特許請求の範囲】
【請求項１】
駆動源と、
シートを搬送する搬送ロールと、
前記駆動源からの駆動力を前記搬送ロールに伝達する駆動伝達手段と、
前記搬送ロールが、搬送するシートの詰りにより前記搬送ロールが負荷を受けた場合、前記駆動伝達手段の駆動伝達を断つ駆動伝達断手段と、
を有することを特徴とするシート搬送装置。
【請求項２】
前記駆動伝達手段は、ギア列から構成され、
前記駆動伝達断手段は、前記ギア列を構成する少なくともいずれか１つのギアの移動を可能とする移動許可手段を有し、前記搬送ロールが負荷を受けた場合、前記移動許可手段を介して前記いずれか１つのギアを移動することによりギア間の噛合いによる駆動力の伝達を断つことを特徴とする請求項１記載のシート搬送装置。
【請求項３】
前記搬送ロールは、ロール本体と、このロール本体の中心に設けられた軸と、を有し、
前記ギア列は、前記軸に固定された出力ギアを有し、
前記移動許可手段は、前記軸を支持する長形状の軸受けから構成されていることを特徴とする請求項２記載のシート搬送装置。
【請求項４】
前記軸受けは、本体フレームに形成され、前記本体フレームと前記軸との間に付勢部材が設けられていることを特徴とする請求項３記載のシート搬送装置。
【請求項５】
前記駆動伝達断手段は、ラチェット機構から構成されていることを特徴とする請求項２記載のシート搬送装置。
【請求項６】
駆動源と、
シートを搬送する搬送ロールと、
この搬送ロールにより搬送されたシートを一時停止させるレジストロールと、
前記駆動源からの駆動力を前記搬送ロールに伝達する駆動伝達手段と、
前記レジストロールへ搬送するシートの詰りにより前記搬送ロールが負荷を受けた場合、前記駆動伝達手段の駆動伝達を断つ駆動伝達断手段と、
を有することを特徴とする画像形成装置。
【発明の詳細な説明】
【技術分野】
【０００１】
本発明は、用紙などのシートを搬送するシート搬送装置及びこれを有する画像形成装置に関する。
【背景技術】
【０００２】
特許文献１は、回転ドラムの一端部に設けられた被駆動歯車側の軸部を支持する受手段は、上部軸部の上部の一部を被う略半円形状の受面を規定し、駆動源の駆動を停止した後に、駆動源が画像形成時の回転方向と反対方向に幾分回動せしめられるように構成したので、駆動源の反対方向の回動によって駆動連結歯車と被駆動歯車の噛み合い状態が解除され、これによって駆動連結歯車と被駆動歯車の連結解除が容易になり、回転ドラムを装置本体から、或いは回転ドラムが装着されたユニット枠を装置本体から容易に離脱せしめることができる装置を開示する。特許文献２は、ローラ部材を感光体に対して離間した位置に確実に位置決めする装置を開示する。特許文献３は、感光体ユニット単体時において圧接部材が感光体ドラムに強く押圧されていない状態に、圧接部材および感光体ドラムを保持する装置を開示する。さらに、特許文献４は、駆動ローラのローラ軸を回転自在に保持する第１の軸受けを固定すると共に第２の軸受けを上下方向に移動可能に保持し、第１の軸受け側に設けられた駆動ギアに伝達される駆動力が所定の値を超えると、駆動力により駆動ギアが移動するようにすることにより、駆動力を開放させることができる装置を開示する。
【０００３】
【特許文献１】特開平２−１３０５６２号公報
【特許文献２】特開平７−１６００９５号公報
【特許文献３】特開２００１−２５５７７７号公報
【特許文献４】特開２００４−７５３３６号公報
【発明の開示】
【発明が解決しようとする課題】
【０００４】
しかしながら、従来においては、シートが詰まった場合の対応については考慮されておらず、シートを搬送する搬送ロールが、シートの詰りによって負荷を受けた場合にも駆動源は駆動し続け、駆動源と連結する駆動伝達手段に負荷がかかって駆動伝達手段の破損等の不具合が発生するおそれがあるという問題があった。
【０００５】
そこで、本発明は、搬送するシートの詰りによる駆動伝達手段の破損等の不具合が発生するのを防止することを目的とする。
【課題を解決するための手段】
【０００６】
上記目的を達成するために、本発明にかかるシート供給装置は、駆動源と、シートを搬送する搬送ロールと、前記駆動源からの駆動力を前記搬送ロールに伝達する駆動伝達手段と、前記搬送ロールが搬送するシートの詰りにより負荷を受けた場合、前記駆動伝達手段の駆動伝達を断つ駆動伝達断手段とを有する。
【０００７】
好適には、前記駆動伝達手段は、ギア列から構成され、前記駆動伝達断手段は、前記ギア列を構成する少なくともいずれか１つのギアの移動を可能とする移動許可手段を有し、前記搬送ロールが負荷を受けた場合、前記移動許可手段を介して前記いずれか１つのギアを移動することによりギア間の噛合いによる駆動力の伝達を断つ。
【０００８】
好適には、前記搬送ロールは、ロール本体と、このロール本体の中心に設けられた軸とを有し、前記ギア列は、前記軸に固定された出力ギアを有し、前記移動許可手段は、前記軸を支持する長形状の軸受けから構成されている。
【０００９】
好適には、前記軸受けは、本体フレームに形成され、前記本体フレームと前記軸との間に付勢部材が設けられている。
【００１０】
好適には、前記駆動伝達断手段は、ラチェット機構から構成されている。
【００１１】
また、本発明にかかる画像形成装置は、駆動源と、シートを搬送する搬送ロールと、この搬送ロールにより搬送されたシートを一時停止させるレジストロールと、前記駆動源からの駆動力を前記搬送ロールに伝達する駆動伝達手段と、前記レジストロールへ搬送するシートの詰りにより前記搬送ロールが負荷を受けた場合、前記駆動伝達手段の駆動伝達を断つ駆動伝達断手段とを有する。
【発明の効果】
【００１２】
本発明によれば、搬送するシートの詰りにより搬送ロールが負荷を受けた場合でも、搬送ロールの駆動源が駆動し続け、駆動源と連結する駆動伝達手段に負荷がかかって駆動伝達手段が破損等の不具合を発生するのを防止することができる。
【発明を実施するための最良の形態】
【００１３】
以下、本発明の実施形態を説明する。
図１において、本発明の適用される形態にかかるシート搬送装置の一例である画像形成装置１０が示されている。
【００１４】
画像形成装置１０は、画像形成装置本体１２を有し、この画像形成装置本体１２内に像形成手段１４が搭載され、この画像形成装置本体１２の上部に排出部１６が設けられていると共に、この画像形成装置本体１２の下部に給紙ユニット１８が配置されている。また、画像形成装置本体１２内にはシートを搬送するシート搬送路２０が形成され、このシート搬送路２０は、後述する両面印刷用搬送路としての反転路２２を有する。
【００１５】
像形成手段１４は電子写真式のもので、感光体からなる像坦持体２４と、この像坦持体２４を一様帯電する例えば帯電ロールからなる帯電装置２６と、この帯電装置２６により帯電された像坦持体２４に、光により潜像を書き込む光書込み装置２８と、この光書込み装置２８により形成された像坦持体２４の潜像を可視化する現像装置３０と、現像装置３０による現像剤像をシートに転写する転写装置３２と、像坦持体２４に残存する現像剤をクリーニングするクリーニング装置３４と、転写装置３２により転写されたシート上の現像剤像をシートに定着させる加熱ロール３６と加圧ロール３８とからなる定着装置から構成されている。光書込み装置２８は、例えば走査型のレーザ露光装置からなり、プロセスカートリッジ４０内を横切り、像坦持体２４に潜像を形成する。クリーニング装置３４は、像坦持体２４に接触するクリーニングブレード４２と、このクリーニングブレード４２で掻き落とされた現像剤を収納する現像剤回収部４４とを有する。なお、光書込み装置２８は、他の実施形態としてＬＥＤや面発光レーザなどを用いることができる。
【００１６】
プロセスカートリッジ４０は、像担持体２４、帯電装置２６、現像装置３０及びクリーニング装置３４を一体化したものであり、これらを一体として交換できるようになっている。
【００１７】
給紙ユニット１８は、被転写材としてのシートが収納され、画像形成装置本体１２に引き出し自在に設けられた給紙カセット４６と給紙ロール４８ａ、４８ｂ、捌きロール５０とを有し、この給紙ロール４８ｂと捌きロール５０との協働により給紙カセット４６に積載されたシートがレジストロール５２に分離給送される。
【００１８】
このレジストロール５２の下流側には、プロセスカートリッジ４０の像坦持体２４と転写装置３２とが対峙し、さらにその下流側には定着装置の加熱ロール３６と加圧ロール３８が対峙している。
【００１９】
したがって、給紙ユニット１８の給紙カセット４６から給紙ロール４８ａ及び４８ｂによりシート搬送路２０に送り出されたシートは、レジストロール５２により一時停止され、タイミングをとって像坦持体２４と転写装置３２との間を通って現像剤像が転写され、この転写された現像剤像が加熱ロール３６と加圧ロール３８の間を通ることにより定着され、排出ロール５４により排出部１６へ排出される。
【００２０】
ただし、両面印刷の場合には、両面印刷手段としての両面印刷ユニット５６に戻される。即ち、両面印刷ユニット５６には、排出ロール５４の手前は２股に分かれ、その分かれた部分に切換爪（図示せず）が設けられていると共に、分かれた部分からレジストロール５２まで戻る両面印刷用搬送路としての反転路２２が形成されている。この反転路２２には搬送ロール５８ａ〜５８ｃが設けられており、両面印刷の場合には切換爪（図示せず）が反転路２２を開く側に切換えられ、排出ロール５４にシートの後端手前がかかる時点で排出ロール５４が反転し、シートが反転路２２に導かれ、レジストロール５２、転写装置３２と像担持体２４との間及び加熱ロール３６と加圧ロール３８の間を通って排出部１６へ排出される。
【００２１】
また、上述した給紙カセット４６にはシート搬送パス６０が設けられている。このシート搬送パス６０により、複数のシートカセットを多段に重ねて配置した場合、下側に配置された他の給紙カセットより給紙されたシートが搬送されるようになっている。
【００２２】
また、画像形成装置本体１２の側面（図１の左側面）には、手差し給紙手段としての手差しユニット６２が配設されている。この手差しユニット６２にはシートを収容する手差しトレイ６４と手差しピックアップロール６６とを有し、この手差しピックアップロール６６の回転により手差しトレイ６４に収容されたシートが送り出される。
【００２３】
手差しユニット６２に設けられた手差しトレイ６４は、図１に示す矢印の方向に回動すると開くようになっており、画像形成装置本体１２に開閉自在に支持されている。また、手差しトレイ６４には、サイドガイド６８が設けられている。サイドガイド６８は、手差しトレイ６４に収容されたシートの側面に当接するよう該シートのサイズに合わせて移動自在に設けられている。ピックアップロール６６により手差しトレイ６４に収容されたシートが分離給送されるようになっている。
【００２４】
この手差しピックアップロール６６より送り出されたシート及び両面印刷において反転路２２に搬送されたシートは、搬送ロール５８ｃとプレスロール７０ｃとの間、レジストロール５２とプレスロール７０ｄとの間、転写装置３２と像担持体２４との間及び加熱ロール３６と加圧ロール３８の間を通って排出部１６へ排出される。
【００２５】
さらに、シート搬送系について図２乃至図６を用いて記述する。
図２又は４に示すように、軸方向をＸ方向、軸方向と直交する方向をＹ、Ｚ方向とする。
【００２６】
図２に示すように、シート搬送装置７２には、紙詰まりを検知する第１のシート検知センサ７４ａと第２のシート検知センサ７４ｂが設けられている。第１のシート検知センサ７４ａは、搬送ロール５８ｃとレジストロール５２の間に、第２のシート検知センサ７４ｂは、定着装置である加熱ロール３６と加圧ロール３８の下流側に設けられている。例えばシート搬送中にレジストロール５２の手前で紙詰り７６をおこした場合に、第１のシート検知センサ７４ａがシートを検知し、所定の時間内に第２のシート検知センサ７４ｂがシートを検出しないことで紙詰まりを検出する。
図２においては、シートＳがレジストロール５２の手前で詰まった状態を示している。
【００２７】
搬送ロール５８ｃとレジストロール５２の間のシート搬送路には上案内部７８ａと下案内部７８ｂが設けられている。搬送ロール５８ｃから搬送されたシートは、先端がレジストロール５２に当たって一時停止され、上案内部７８ａと下案内部７８ｂとの間でループが形成され、その後搬送されるようになっている。
【００２８】
搬送ロール５８ｃは、ロール本体８０とロール本体８０の中心に設けられた軸８２から構成されている。
【００２９】
駆動源８６は、例えばモータであり、この駆動源８６と搬送ロール５８ｃの軸８２とは、駆動伝達手段９０を介して連結されている。駆動伝達手段９０は、例えばギア列であり、このギア列は、入力ギア８８と、入力ギア８８と噛合う第１のギア９２と、この第１のギア９２と同軸に固定された第２のギア９４と、この第２のギア９４と噛合う第３のギア９６と、この第３のギア９６と噛合う第４のギア９８と、この第４のギア９８と噛合う第５のギア１００と、この第５のギア１００と噛合う第６のギア１０２と、この第６のギア１０２と噛合う出力ギア８４から構成される。入力ギア８８は、例えば、はす歯ギアであり、駆動源８６の駆動軸に固定されている。出力ギア８４は、例えば、はす歯ギアであり、搬送ロール５８ｃの軸８２に固定されている。
【００３０】
駆動伝達断手段１０４は、上述の紙詰まり７６を検出するまでの時間もシートは搬送され続け、搬送するシートの詰りにより搬送ロール５８ｃが負荷を受けた場合に、駆動伝達手段９０の駆動伝達を断つものである。この駆動伝達断手段１０４は、例えば移動許可手段１０６により出力ギア８４を移動させ、第６のギア１０２との噛合いを断って離間させることによる。
【００３１】
移動許可手段１０６は、例えば軸８２を支持する長形状の軸受け１０８から構成されている。軸受け１０８は、本体フレーム１１０に形成され、本体フレーム１１０と軸８２との間には付勢部材１１４である例えば圧縮コイルばねが設けられている。軸受け１０８は、軸８２をＺ軸方向に移動可能に支持し、軸８２は出力ギア８４近傍を支点に移動可能である。
【００３２】
シート搬送中に、搬送ロール５８ｃとレジストロール５２間で紙詰まり７６が発生した時の動作について説明する。
駆動源８６であるモータが駆動することにより、入力ギア８８が回転し、駆動伝達手段９０であるギア列を介して、出力ギア８４が回転し、出力ギア８４と同軸で搬送ロール５８ｃが回転することによって、シートＳが上案内部７８ａと下案内部７８ｂの隙間を通ってレジストロール５２へと搬送される。シートＳがレジストロール５２の手前で紙詰り７６をおこし、シート検知センサ７４ａがシートＳを検知するが、紙詰まりを検出するまでの時間もシートは搬送され続け、さらにシートが詰り、搬送ロール５８ｃが負荷を受ける。搬送ロール５８ｃに負荷がかかることにより、付勢部材１１４の付勢力によって保たれていた出力ギア８４と第６のギア１０２の連結に抗して、出力ギア８４が駆動側にあるギア１０２から逃げる方向（Ｚ軸方向）に出力ギア８４が移動する。これにより、出力ギア８４と駆動側にある第６のギア１０２との噛合いが外れ、入力ギア８８、駆動伝達手段９０であり入力ギア８８側にある第１のギア９２、第２のギア９４、第３のギア９６、第４のギア９８、第５のギア１００、第６のギア１０２が空回りすることで、それらのギアや出力ギア８４の破損を防止することができる。
【００３３】
次に、本発明にかかる第２の実施形態を説明する。
図７において、駆動伝達断手段１０４としてラチェット機構１１６を用いた例が示されている。
【００３４】
ラチェット機構１１６は、第１の実施形態における例えば第１のギア９２と第２のギア９４との間に設けられている。第１のギア９２は、係合部１１７を有し、円筒状で摺動及び回転自在に軸１１８に嵌合している。第２のギア９４は、被係合部１２０を有し、円筒状で回転自在に軸１１８に嵌合している。係合部１１７は、山と谷とが同方向に連続して形成されている。被係合部１２０は、係合部１１７と同じく山と谷とが同方向に連続して形成されている。ラチェット機構１１６は、この第１のギア９２の係合部１１７の山と第２のギア９４の被係合部１２０の谷が、第１のギア９２の係合部１１７の谷と第２のギア９４の被係合部１２０の山が噛合うことで構成されている。
【００３５】
また、軸１１８の一端には、付勢部材支持部１２６が設けられている。第１のギア９２と付勢部材支持部１２６との間には、例えば圧縮コイルばねである付勢部材１２４が介在されている。この付勢部材１２４の付勢力により係合部１１７と被係合部１２０との噛合いが維持されるようになっている。
【００３６】
この第２の実施形態において、シート搬送中に、搬送ロール５８ｃとレジストロール５２間で紙詰まり７６が発生した時のラチェット機構１１６の動作について説明する。
搬送ロール５８ｃとレジストロール５２手前で紙詰まり７６が発生することにより、搬送ロール５８ｃに負荷がかかる。搬送ロール５８ｃに負荷がかかることにより、出力ギア８４、第６のギア１０２、第５のギア１００、第４のギア９８及び第３のギア９６を介して第２のギア９４が負荷を受けることで、第１のギア９２が付勢部材１２４に抗してＸ軸方向へ移動し、付勢部材１２４の付勢力により連結が維持されていた第１のギア９２の係合部１１７と第２のギア９４の被係合部１２０の連結が外れる。
すなわち、駆動伝達断手段１０４としてラチェット機構１１６を用いることにより、出力ギア８４側にある第２のギア９４が紙詰まりによる負荷を受けた場合には、第１のギア９２が第２のギア９４に対して空周りすることにより、ギアの破損を防止することができる。
【図面の簡単な説明】
【００３７】
【図１】本発明にかかる画像形成装置の断面図である。
【図２】本発明の実施形態にかかるシート搬送装置における模式図である。
【図３】本発明の実施形態にかかるシート搬送におけるギア列の斜視図である。
【図４】本発明の実施形態にかかるシート搬送におけるギア列の機構を示す図である。
【図５】本発明の実施形態にかかる軸受けの形状を現す模式図である。
【図６】本発明の実施形態にかかる搬送ロール周辺をあらわす斜視図である。
【図７】本発明の第２の実施形態にかかるラチェット機構をあらわす断面図である。
【符号の説明】
【００３８】
１０    画像形成装置
１２    画像形成装置本体
５２    レジストロール
５８ｃ  搬送ロール
６４    手差しトレイ
６６    ピックアップロール
８４    出力ギア
８６    駆動源
８８    入力ギア
９２、９４、９６、９８、１００、１０２  ギア
１０８  軸受け
１１０  本体フレーム
１１４、１２４    付勢部材
１１６  ラチェット機構
【図１】
2009196725.tif 000003
【図２】
2009196725.tif 000004
【図３】
2009196725.tif 000005
【図４】
2009196725.tif 000006
【図５】
2009196725.tif 000007
【図６】
2009196725.tif 000008
【図７】
2009196725.tif 000009